(57)【要約】【目的】モード切換え操作を長期にわたって円滑に行うこと。【構成】キャプスタン６に対してピンチローラ７を圧接離間させるためのピンチアーム２６の基端部に設けたカム片２７が、ピンチアーム２６の基端部に一体突設され根元から直角に折り曲げたカム片本体２７ａと該カム片本体２７ａの両側縁に一体突設されて横断面を互いに逆方向に円弧状に弯曲させた一対の側板部２７ｂ，２７ｃとにより略Ｓ字形に形成されており、ストップモードから一方向に回転するカム円板のカム溝内周面で一方の側板部２７ｂの円弧面を押し上げてプレイモードとし、このプレイモードから他方向に回転するカム円板のカム溝外周面で他方の側板部２７ｃの円弧面を押し下げてストップモードに戻すようにした。【選択図】　　　　図２
0003099761.tif 000002
【実用新案登録請求の範囲】
【請求項１】
キャプスタンに対して圧接離間可能なピンチローラを先端部に配置し枢支軸を介して基端部近傍をシャーシに揺動可能に枢支した揺動アームと、シャーシに枢着軸を介して揺動可能に枢着され先端部を前記揺動アームの基端部にばねにより係合させた板金製ピンチアームとを有し、該ピンチアームの基端部に一体突設され横断面を円弧状に弯曲させ根元から直角に折り曲げた略Ｕ字形カム片が回転駆動可能なカム円板のカム溝に嵌入されており、前記ピンチローラをキャプスタンから離間させたストップモードからカム円板を一方向に回転させることにより、カム溝の内周面に形成した山部で略Ｕ字形カム片の円弧面を押し上げピンチアーム、ばね及び揺動アームを介してピンチローラをキャプスタンに圧接させてプレイモードとし、そのプレイモードからカム円板を他方向に回転させることにより、カム溝の外周面で略Ｕ字形カム片のエッジを押し下げてストップモードに戻すようにした磁気テープ装置において、前記ピンチローラ付き揺動アームに代えて、シャーシに突設した複数のガイド片によりスライド可能に支持され中央貫通孔をキャプスタンに遊嵌合させ該中央貫通孔よりも後側にピンチローラを配置し前端をばねによりピンチアームの先端部に係合させたスライダーが用いられ、前記略Ｕ字形カム片に代えて、ピンチアームの基端部に一体突設され根元から直角に折り曲げたカム片本体と該カム片本体の両側縁に一体突設されて横断面を互いに逆方向に円弧状に弯曲させた一対の側板部とからなる略Ｓ字形カム片が用いられており、ストップモードからカム円板を一方向に回転させることにより、カム溝の内周面に形成した山部で略Ｓ字形カム片の一方の側板部の円弧面を押し上げてプレイモードとし、そのプレイモードからカム円板を他方向に回転させることにより、カム溝の外周面で略Ｓ字形カム片の他方の側板部の円弧面を押し下げてストップモードに戻すようにしたことを特徴とする磁気テープ装置。
【請求項２】
キャプスタンに対してピンチローラを圧接離間させるためのピンチアームの基端部に一体突設したカム片が回転駆動可能なカム円板のカム溝に嵌入されており、前記ピンチローラをキャプスタンから離間させたストップモードからカム円板を一方向に回転させることにより、カム溝の内周面に形成した山部でカム片を押し上げピンチアームを介してピンチローラをキャプスタンに圧接させてプレイモードとし、このプレイモードからカム円板を他方向に回転させることにより、カム溝の外周面でカム片を押し下げてストップモードに戻すようにした磁気テープ装置において、前記カム片が、ピンチアームの基端部に一体突設され根元から直角に折り曲げたカム片本体と該カム片本体の両側縁に一体突設されて横断面を互いに逆方向に円弧状に弯曲させた一対の側板部とにより略Ｓ字形に形成されており、ストップモードからカム円板を一方向に回転させることにより、カム溝の内周面に形成した山部で略Ｓ字形カム片の一方の側板部の円弧面を押し上げてプレイモードとし、このプレイモードからカム円板を他方向に回転させることにより、カム溝の外周面で略Ｓ字形カム片の他方の側板部の円弧面を押し下げてストップモードに戻すようにしたことを特徴とする磁気テープ装置。
【請求項３】
前記ピンチローラを後側に配置し中央貫通孔をキャプスタンに遊嵌合させたスライダーがシャーシに突設した複数のガイド片によりスライド可能に支持され、該スライダーの前端をばねによりピンチアームの先端部に係合させており、カム円板を回転させることにより、ピンチアーム、ばね及びスライダを介してピンチローラをキャプスタンに対して圧接離間させるようにしたことを特徴とする請求項２に記載の磁気テープ装置。
【考案の詳細な説明】
【０００１】
【考案の属する技術分野】
本考案は、ストップモードとプレイモードとの間で切換え操作を長期にわたって円滑に行うことができるようにした磁気テープ装置に関する。
【０００２】
【従来の技術】
従来、磁気テープ装置の技術として特許文献１などに記載したものがあり、その一例を図７に基づいて説明すると、これは、シャーシ１上に供給リール台２と巻取りリール台３とが回転可能に配置され、該両リール台２，３に係合させたテープカセットＴから磁気テープｔを引き出してヘッドシリンダ４に巻き付けるための可動テープガイドポスト５が設けられ、キャプスタン６に対して磁気テープｔを介してピンチローラ７を圧接離間させるためのピンチローラ駆動機構８が設けられている。なお、９は全幅消去ヘッド、１０は音声消去ヘッド、１１は音声・コントロールヘッド、１２は固定ガイドポスト、１３はテンションポストである。
【０００３】
前記ピンチローラ駆動機構８は、図７に示すように、ピンチローラ７を先端部に配置し枢支軸１５を介して基端部近傍をシャーシ１に矢印ａ，ｂ方向に揺動可能に枢支した揺動アーム１６と、シャーシ１に枢着軸１７を介して矢印ｃ，ｄ方向に揺動可能に枢着された板金製ピンチアーム１８とを有し、該ピンチアーム１８と揺動アーム１６とに間にばね１９を張設することにより、そのピンチアーム１８の先端部１８ａを揺動アーム１６の基端突起部１６ａに係合させ、ピンチアーム１８の基端部に一体突設したカム片２０が矢印ｅ，ｆ方向に回転駆動可能なカム円板２１のカム溝２２に嵌入されている。
【０００４】
前記カム片２０は、図１１（ａ）に示すように、ピンチアーム１８の基端部に一体突設されており、同図（ｂ）に示すように、カム片２０の横断面を円弧状に弯曲させ根元から直角に折り曲げることにより、略Ｕ字形に形成されている。
【０００５】
操作手順を説明すると、図８（ａ）はストップモードを示しており、キャプスタン６からピンチローラ７が離間されている（図７仮想線参照）。このストップモードからカム円板２１を矢印ｅ方向に所定角度α（約１６０°）回転させることにより、図８（ｂ）に示すように、カム溝２２の内周面２２Ａに形成した山部２３の傾斜状すそ野２３ａで略Ｕ字形カム片２０の円弧面２０ａを押し上げる。これにより、ピンチアーム１８を矢印ｃ方向に所定角度β回動させ、ばね１９を介して揺動アーム１６を矢印ａ方向に揺動させてピンチローラ７をキャプスタン６に接近させ、ストップモードからプレイモード直前状態にする。
【０００６】
続いて、カム円板２１をさらに矢印ｅ方向に所定角度α（約１８０°）回転させることにより、図８（ｃ）に示すように、山部２３で略Ｕ字形カム片２０の円弧面２０ａを押し上げ（図９参照）、これにより上記と同様の動作が行われてばね１９を伸長させ、該ばね１９の押付力でピンチローラ７を磁気テープｔを挟んでキャプスタン６に圧接させて、プレイモードとし、記録や再生を行う。
【０００７】
その後、プレイモードからストップモードに戻す場合には、カム円板２１を矢印ｆ方向に回転させることにより、図８（ｄ）に示すように、カム溝２２の外周面２２Ｂで略Ｕ字形カム片２０の鋭角状エッジ２０ｂを押し下げ（図１０参照）、上記とは逆の動作でピンチローラ７をキャプスタン６から離間させ、カム円板２１を元の位置〔図８（ａ）参照〕まで戻せばよい。
【０００８】
【特許文献１】
特開平５−４７０７４号公報
【０００９】
【考案が解決しようとする課題】
上記構成では、プレイモードからストップモードに戻す際に、カム溝２２の外周面２２Ｂで略Ｕ字形カム片２０の鋭角状エッジ２０ｂを押し下げるようになっているため、図１０（ｂ）に仮想線で示すように、エッジ２０ｂによりカム溝２２の外周面２２Ｂが削られてピンチアーム１８の回動動作が不安定になったり、エッジ２０ｂが外周面２２Ｂに食い込んでピンチアーム１８が回動不能になるおそれがあった。
【００１０】
図１１（ａ）に示すように、カム片２０の幅ｈ１が小さく、しかも、該カム片２０を横断面が円弧状になるように弯曲させる際にその根元に過大な負荷がかかると共に、そのカム片２０を根元から直角に折り曲げる際にその根元にも過大な負荷がかかるため、カム片２０の根元が弱くなっている。従って、長期にわたってカム片２０をカム円板２１の山部２３で繰返押し上げることにより、該カム片２０が根元から曲がることがあり〔図９（ｂ）仮想線参照〕、これでは、モード切換えを行うことができない。
【００１１】
更に、図７に示すように、ピンチローラ７から枢支軸１５までの距離Ｌが長くて、該ピンチローラ７が揺動アーム１６により片持ち状態で支持されているので、プレイモードでピンチローラ７にかかる過大な抵抗力により揺動アーム１６が撓んでピンチローラ７が上下動させられ、磁気テープｔの走行が不安定になって、例えば再生画面にノイズが生じるおそれがある。
【００１２】
本考案は、上記難点に鑑み、モード切換え操作を長期にわたって円滑に行うことができるようにした磁気テープ装置を提供することを目的としている。
【００１３】
【課題を解決するための手段】
上記目的を達成するため、請求項１に記載の考案は、キャプスタンに対して圧接離間可能なピンチローラを先端部に配置し枢支軸を介して基端部近傍をシャーシに揺動可能に枢支した揺動アームと、シャーシに枢着軸を介して揺動可能に枢着され先端部を前記揺動アームの基端部にばねにより係合させた板金製ピンチアームとを有し、該ピンチアームの基端部に一体突設され横断面を円弧状に弯曲させ根元から直角に折り曲げた略Ｕ字形カム片が回転駆動可能なカム円板のカム溝に嵌入されており、前記ピンチローラをキャプスタンから離間させたストップモードからカム円板を一方向に回転させることにより、カム溝の内周面に形成した山部で略Ｕ字形カム片の円弧面を押し上げピンチアーム、ばね及び揺動アームを介してピンチローラをキャプスタンに圧接させてプレイモードとし、そのプレイモードからカム円板を他方向に回転させることにより、カム溝の外周面で略Ｕ字形カム片のエッジを押し下げてストップモードに戻すようにした磁気テープ装置において、前記ピンチローラ付き揺動アームに代えて、シャーシに突設した複数のガイド片によりスライド可能に支持され中央貫通孔をキャプスタンに遊嵌合させ該中央貫通孔よりも後側にピンチローラを配置し前端をばねによりピンチアームの先端部に係合させたスライダーが用いられ、前記略Ｕ字形カム片に代えて、ピンチアームの基端部に一体突設され根元から直角に折り曲げたカム片本体と該カム片本体の両側縁に一体突設されて横断面を互いに逆方向に円弧状に弯曲させた一対の側板部とからなる略Ｓ字形カム片が用いられており、ストップモードからカム円板を一方向に回転させることにより、カム溝の内周面に形成した山部で略Ｓ字形カム片の一方の側板部の円弧面を押し上げてプレイモードとし、そのプレイモードからカム円板を他方向に回転させることにより、カム溝の外周面で略Ｓ字形カム片の他方の側板部の円弧面を押し下げてストップモードに戻すようにしたことを特徴としている。
【００１４】
上記構成は実施の一形態（図１から図６参照）に対応するものであって、これによれば、略Ｓ字形カム片がピンチアームの基端部に一体突設されたカム片本体と該カム片本体の両側縁に一体突設されて互いに逆方向に弯曲させた一対の側板部とからなり、モード切換えの際に、前記両側板部の円弧面をカム溝の内外両周面に接触させるようになっているから、従来のようにカム溝の内外両周面がカム片のエッジにより削られたりそのカム溝の内外両周面にカム片のエッジが食い込むことも無く、ピンチアームの回動動作を長期にわたって安定させることができる。
【００１５】
また、略Ｓ字形カム片の幅が大きいので、カム片本体の幅も従来の略Ｕ字形カム板よりも広幅にすることができ、これによって、カム片本体の根元に繰り返しかかる過大な負荷に充分耐えて、そのカム片本体の根元が従来のように曲げられないようにすることができ、モードの切換え操作を確実に行うことができる。
【００１６】
更に、ピンチローラを配置したスライダをシャーシに突設した複数のガイド片でスライド可能に支持しており、プレイモードでピンチローラにかかる過大な抵抗力により前記スライダが撓むことがないので、そのスライダ上のピンチローラを上下動させることなく磁気テープの走行を安定させ、これによって、例えば画面にノイズの生じない鮮明な映像を再生することができる。
【００１７】
以上要するに、ピンチローラ付きスライダと略Ｓ字形カム片付きピンチアームとの組み合わせにより、モードの切換え操作を長期にわたって所定通りに円滑に行うことができる。
【００１８】
請求項２に記載の考案は、キャプスタンに対してピンチローラを圧接離間させるためのピンチアームの基端部に一体突設したカム片が回転駆動可能なカム円板のカム溝に嵌入されており、前記ピンチローラをキャプスタンから離間させたストップモードからカム円板を一方向に回転させることにより、カム溝の内周面に形成した山部でカム片を押し上げピンチアームを介してピンチローラをキャプスタンに圧接させてプレイモードとし、このプレイモードからカム円板を他方向に回転させることにより、カム溝の外周面でカム片を押し下げてストップモードに戻すようにした磁気テープ装置において、前記カム片が、ピンチアームの基端部に一体突設され根元から直角に折り曲げたカム片本体と該カム片本体の両側縁に一体突設されて横断面を互いに逆方向に円弧状に弯曲させた一対の側板部とにより略Ｓ字形に形成されており、ストップモードからカム円板を一方向に回転させることにより、カム溝の内周面に形成した山部で略Ｓ字形カム片の一方の側板部の円弧面を押し上げてプレイモードとし、このプレイモードからカム円板を他方向に回転させることにより、カム溝の外周面で略Ｓ字形カム片の他方の側板部の円弧面を押し下げてストップモードに戻すようにしたことを特徴とするものである。
【００１９】
上記構成によれば、略Ｓ字形カム片がピンチアームの基端部に一体突設されたカム片本体と該カム片本体の両側縁に一体突設されて互いに逆方向に弯曲させた一対の側板部とからなり、モード切換えの際に、前記両側板部の円弧面をカム溝の内外両周面に接触させるようになっているから、従来のようにカム溝の内外両周面がカム片のエッジにより削られたりそのカム溝の内外両周面にカム片のエッジが食い込むことも無く、ピンチアームの回動動作を長期にわたって安定させることができる。
【００２０】
また、略Ｓ字形カム片の幅が大きいので、カム片本体の幅も大きく設定することができ、これによって、カム片本体の根元に繰り返しかかる過大な負荷に充分耐えて、そのカム片本体の根元が従来のように曲げられないようにすることができ、モードの切換え操作を確実に行うことができる。
【００２１】
請求項３に記載の考案は、請求項２に記載の考案において、前記ピンチローラを後側に配置し中央貫通孔をキャプスタンに遊嵌合させたスライダーがシャーシに突設した複数のガイド片によりスライド可能に支持され、該スライダーの前端をばねによりピンチアームの先端部に係合させており、カム円板を回転させることにより、ピンチアーム、ばね及びスライダを介してピンチローラをキャプスタンに対して圧接離間させるようにしたことを特徴としている。
【００２２】
上記構成によれば、ピンチローラを配置したスライダをシャーシに突設した複数のガイド片でスライド可能に支持しており、プレイモードでピンチローラにかかる過大な抵抗力により前記スライダが撓むことがないので、そのスライダ上のピンチローラを上下動させることなく磁気テープの走行を安定させ、これによって、例えば画面にノイズの生じない鮮明な映像を再生することができる。
【００２３】
以上要するに、ピンチローラ付きスライダと略Ｓ字形カム片付きピンチアームとの組み合わせにより、モードの切換え操作を長期にわたって所定通りに円滑に行うことができる。
【００２４】
【考案の実施の形態】
図１及び図２は本考案の実施の一形態である磁気テープ装置を示すものであって、ピンチローラ駆動機構８がスライダ２５とピンチアーム２６とを有し、該ピンチアーム２６の基端部にカム片２７が一体形成されている。上記以外の構成は図７から図１１に示す構成とほぼ同じであるから、同一部分に同一符号を付してその説明を省略する。
【００２５】
前記スライダ２５は、図２に示すように、略矩形状の板金からなり、その後側にピンチローラ７を配置すると共に、その中央貫通孔２５ａをキャプスタン６に遊嵌合させ、シャーシ１から切り起こした３つの略Ｌ字状ガイド片１ａ〜１ｃのうち、その後側２つのガイド片１ａ，１ｂをスライダ２５の両側縁に係合させると共に、その前側のガイド片１ｃをスライダ２５の前側に形成したガイド孔２５ｂに係合させることにより、そのスライダ２５が矢印ａ，ｂ方向にスライド可能に形成され、スライダ２５から切り起こした係合片２５ｃとピンチアーム２６の先端起立部２６ａとの間にばね１９を張設することにより、該先端起立部２６ａがスライダ２５の前側凹部２５ｄに係合されており、枢着軸１７を中心にピンチアーム２６を矢印ｃ，ｄ方向に回動させることにより、ばね１９及びスライダ２５を介してピンチローラ７をキャプスタン６に圧接離間させる。
【００２６】
上記構成によれば、ピンチアーム２６を配置したスライダ２５をシャーシ１に突設した複数のガイド片１ａ〜１ｃでスライド可能に支持しており、プレイモードでピンチローラ７にかかる過大な抵抗力により前記スライダ２５が撓むことがないので、そのスライダ２５上のピンチローラ７を上下動させることなく磁気テープｔの走行を安定させ、これによって、例えば画面にノイズの生じない鮮明な映像を再生することができる。
【００２７】
前記カム片２７は、図６（ａ）に示すように、ピンチアーム２６の基端部に一体突設されたカム片本体２７ａと該カム片本体２７ａの両側縁に一体突設された一対の側板部２７ｂ，２７ｃとからなり、同図（ｂ）に示すように、カム片本体２７ａを根元から直角に折り曲げると共に、両側板部２７ｂ，２７ｃを互いに逆方向に円弧状に弯曲させることにより、略Ｓ字形に形成されている。
【００２８】
操作手順を説明すると、図３（ａ）はストップモードを示しており、キャプスタン６からピンチローラ７が離間されている（図１仮想線参照）。このストップモードからカム円板２１を矢印ｆ方向に所定角度α（約１６０°）回転させることにより、図３（ｂ）に示すように、カム溝２２の内周面２２Ａに形成した山部２３の傾斜状すそ野２３ａで略Ｓ字形カム片２７の一方の側板部２７ｂの円弧面を押し上げる。これにより、ピンチアーム１８を矢印ｄ方向に所定角度β回動させ、ばね１９を介して揺動アーム１６を矢印ａ方向にスライドさせてピンチローラ７をキャプスタン６に接近させ、ストップモードからプレイモード直前状態にする。
【００２９】
続いて、カム円板２１をさらに矢印ｆ方向に所定角度α（約１８０°）回転させることにより、図３（ｃ）に示すように、山部２３で略Ｓ字形カム片２７の一方の側板部２７ｂの円弧面を押し上げ（図４参照）、これにより上記と同様の動作が行われてばね１９を伸長させ、該ばね１９の押付力でピンチローラ７を磁気テープｔを挟んでキャプスタン６に圧接させて、プレイモードとし、記録や再生を行う。
【００３０】
その後、プレイモードからストップモードに戻す場合には、カム円板２１を矢印ｅ方向に回転させることにより、図３（ｄ）に示すように、カム溝２２の外周面２２Ｂで略Ｓ字形カム片２７の他方の側板部２７ｃの円弧面を押し下げ（図５参照）、上記とは逆の動作でピンチローラ７をキャプスタン６から離間させ、カム円板２１を元の位置〔図３（ａ）参照〕まで戻せばよい。
【００３１】
上記構成によれば、ストップモードとプレイモードとの間のモード切換えの際に、カム片２７の両側板部２７ｂ，２７ｃの円弧面をカム溝２２の内外両周面２２Ａ，２２Ｂに接触させるようになっているから（図４及び図５参照）、従来のようにカム片２７のエッジにより内外両周面２２Ａ，２２Ｂが削られたり該エッジが内外両周面２２Ａ，２２Ｂに食い込むことが無く〔図１０（ｂ）仮想線参照〕、ピンチアーム２６の回動動作を長期にわたって安定させることができる。
【００３２】
また、図６（ａ）に示すように、略Ｓ字形カム片２７の幅Ｈが大きいので、カム片本体２７ａの幅ｈ２も従来の略Ｕ字形カム片２０の幅ｈ１〔図１１（ａ）参照〕よりも広幅にすることができ（ｈ２＞ｈ１）、これによって、カム片本体２７ａの根元に繰り返しかかる過大な負荷に充分耐えて、そのカム片本体２７ａの根元が従来のように曲げられないようにすることができ〔図９（ｂ）仮想線参照〕、モードの切換え操作を確実に行うことができる。
【００３３】
以上要するに、ピンチローラ７付きスライダ２５と略Ｓ字形カム片２７付きピンチアーム２６との組み合わせにより、モードの切換え操作を長期にわたって所定通りに円滑に行うことができる。
【００３４】
【考案の効果】
請求項１に記載の考案によれば、実施の一形態（図１から図６参照）に示すように、略Ｓ字形カム片がピンチアームの基端部に一体突設されたカム片本体と該カム片本体の両側縁に一体突設されて互いに逆方向に弯曲させた一対の側板部とからなり、モード切換えの際に、前記両側板部の円弧面をカム溝の内外両周面に接触させるようになっているから、従来のようにカム溝の内外両周面がカム片のエッジにより削られたりそのカム溝の内外両周面にカム片のエッジが食い込むことも無く、ピンチアームの回動動作を長期にわたって安定させることができる。
【００３５】
また、略Ｓ字形カム片の幅が大きいので、カム片本体の幅も従来の略Ｕ字形カム板よりも広幅にすることができ、これによって、カム片本体の根元に繰り返しかかる過大な負荷に充分耐えて、そのカム片本体の根元が従来のように曲げられないようにすることができ、モードの切換え操作を確実に行うことができる。
【００３６】
更に、ピンチローラを配置したスライダをシャーシに突設した複数のガイド片でスライド可能に支持しており、プレイモードでピンチローラにかかる過大な抵抗力により前記スライダが撓むことがないので、そのスライダ上のピンチローラを上下動させることなく磁気テープの走行を安定させ、これによって、例えば画面にノイズの生じない鮮明な映像を再生することができる。
【００３７】
以上要するに、ピンチローラ付きスライダと略Ｓ字形カム片付きピンチアームとの組み合わせにより、モードの切換え操作を長期にわたって所定通りに円滑に行うことができる。
【００３８】
請求項２に記載の考案によれば、略Ｓ字形カム片がピンチアームの基端部に一体突設されたカム片本体と該カム片本体の両側縁に一体突設されて互いに逆方向に弯曲させた一対の側板部とからなり、モード切換えの際に、前記両側板部の円弧面をカム溝の内外両周面に接触させるようになっているから、従来のようにカム溝の内外両周面がカム片のエッジにより削られたりそのカム溝の内外両周面にカム片のエッジが食い込むことも無く、ピンチアームの回動動作を長期にわたって安定させることができる。
【００３９】
また、略Ｓ字形カム片の幅が大きいので、カム片本体の幅も大きく設定することができ、これによって、カム片本体の根元に繰り返しかかる過大な負荷に充分耐えて、そのカム片本体の根元が従来のように曲げられないようにすることができ、モードの切換え操作を確実に行うことができる。
【００４０】
請求項３に記載の考案によれば、ピンチローラを配置したスライダをシャーシに突設した複数のガイド片でスライド可能に支持しており、プレイモードでピンチローラにかかる過大な抵抗力により前記スライダが撓むことがないので、そのスライダ上のピンチローラを上下動させることなく磁気テープの走行を安定させ、これによって、例えば画面にノイズの生じない鮮明な映像を再生することができる。
【００４１】
以上要するに、ピンチローラ付きスライダと略Ｓ字形カム片付きピンチアームとの組み合わせにより、モードの切換え操作を長期にわたって所定通りに円滑に行うことができる。
【図面の簡単な説明】
【図１】本考案の実施の一形態である磁気テープ装置を示す概略平面図である。
【図２】同要部の斜視図である。
【図３】（ａ）〜（ｄ）は操作手順を示す説明図である。
【図４】（ａ）はカム片のカム溝内周面接触状態の斜視図、（ｂ）は同縦断面図、（ｃ）はＡ−Ａ矢視図である。
【図５】（ａ）はカム片のカム溝外周面接触状態の斜視図、（ｂ）は同水平断面図である。
【図６】（ａ）はカム片の折り曲げ前の平面図と側面図、（ｂ）はカム片の折り曲げ後の平面図と側面図である。
【図７】従来例を示す概略平面図である。
【図８】（ａ）〜（ｄ）は操作手順を示す説明図である。
【図９】（ａ）はカム片のカム溝内周面接触状態の斜視図、（ｂ）は同縦断面図、（ｃ）はＢ−Ｂ矢視図である。
【図１０】（ａ）はカム片のカム溝外周面接触状態の斜視図、（ｂ）は同水平断面図である。
【図１１】（ａ）はカム片の折り曲げ前の平面図と側面図、（ｂ）はカム片の折り曲げ後の平面図と側面図である。
【符号の説明】
１　　　　　シャーシ
１ａ〜１ｃ　ガイド片
６　　　　　キャプスタン
７　　　　　ピンチローラ
１５　　　　枢支軸
１６　　　　揺動アーム
１７　　　　枢着軸
１８　　　　ピンチアーム
１９　　　　ばね
２０　　　　略Ｕ字形カム片
２０ａ　　　略Ｕ字形カム片の円弧面
２０ｂ　　　略Ｕ字形カム片のエッジ
２１　　　　カム円板
２２　　　　カム溝
２２Ａ　　　カム溝の内周面
２２Ｂ　　　カム溝の外周面
２３　　　　山部
２５　　　　スライダ
２５ａ　　　スライダの中央貫通孔
２５ｄ　　　スライダの前側凹部
２６　　　　ピンチアーム
２６ａ　　　ピンチアームの先端起立部
２７　　　　略Ｓ字形カム片
２７ａ　　　カム片本体
２７ｂ　　　略Ｓ字形カム片の一方の側板部
２７ｃ　　　略Ｓ字形カム片の他方の側板部
【図１】
0003099761.tif 000003
【図２】
0003099761.tif 000004
【図３】
0003099761.tif 000005
【図４】
0003099761.tif 000006
【図５】
0003099761.tif 000007
【図６】
0003099761.tif 000008
【図７】
0003099761.tif 000009
【図８】
0003099761.tif 000010
【図９】
0003099761.tif 000011
【図１０】
0003099761.tif 000012
【図１１】
0003099761.tif 000013